(57)【要約】【課題】従来、自己判断でサプリメントを服用していた利用者は、栄養素の摂取不足・過多となる事態が頻繁に生じていた。また、複数種類のサプリメントを摂取する場合、その飲み合わせの影響を利用者が把握するのは困難であった。【解決手段】そこで、本発明では、利用者各人に最適な営養補助食品を配布することで体内からの改善と、さらに、生活指導による体外からの改善を図ることを目標とする。利用者各人への最適な営養補助食品の選択は、肥満遺伝子や、喫煙、アルコール摂取による影響を考慮して行われる。【選択図】　　　　　　図２
2004110406.tif 000002
【特許請求の範囲】
【請求項１】
利用者の生体に関する情報である生体情報を取得する生体情報取得部と、
利用者に対するアンケート結果から日常生活に関するデータである生活情報を取得する生活情報取得部と、
前記生体情報取得部で取得した生体情報と、前記生活情報取得部で取得した生活情報とから、利用者に適したサプリメントに関する情報を出力するサプリメント出力部と、
を有する生活指導装置。
【請求項２】
前記生体情報取得部で取得した生体情報と、前記生活情報取得部で取得した生活情報とから、利用者の健康を維持、改善するための生活指導のデータである生活指導データを出力する生活指導データ出力部
をさらに有する請求項１に記載の生活指導装置。
【請求項３】
前記生体情報は、尿検査によって得られる体内年齢に関する情報である体内年齢情報である請求項１又は２に記載の生活指導装置。
【請求項４】
前記体内年齢情報は、前記尿検査により得られる酸化グアニンの定量分析の結果に基づいて判定する請求項３に記載の生活指導装置。
【請求項５】
前記生体情報は、ＤＮＡ検査によって得られる肥満遺伝子に関する情報である肥満遺伝子情報である請求項１又は２に記載の生活指導装置。
【請求項６】
前記生体情報は、尿検査によって得られるコチニンの尿中濃度に基づいて判定するタバコへの依存度の情報であるタバコ依存度情報である請求項１又は２に記載の生活指導装置。
【請求項７】
前記生体情報は、尿検査によって得られるアルコール解毒酵素に基づいて判定するアルコールに対する体質特性に関する情報であるアルコール体質情報である請求項１又は２に記載の生活指導装置。
【発明の詳細な説明】
【０００１】
【発明の属する技術分野】
本発明は生活指導装置に関するものである。
【０００２】
【従来の技術】
従来、生活習慣の改善を誘導するシステムとしては、利用者の生活状況や尿検査の結果からストレス状態を考慮してアドバイスを提示する装置がある（特許文献１参照。）。
【０００３】
【特許文献１】
特開２０００−３１１１９２号公報
【０００４】
【発明が解決しようとする課題】
しかし、アドバイスだけでは、その効果が現れるまでに時間を要し、利用者が改善努力をし続けることが困難となりうる。
【０００５】
【課題を解決するための手段】
本発明では、この課題を解決するために、生活指導による体外からの改善に加えて、利用者各人に最適な営養補助食品を配布することで体内からの改善を図ることを目標とする。
【０００６】
利用者各人への最適な営養補助食品の選択は、肥満遺伝子や、喫煙、アルコール摂取による影響を考慮して行われる。
【０００７】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００８】
実施形態１は、主に請求項１などについて説明する。
【０００９】
実施形態２は、主に請求項２などについて説明する。
【００１０】
実施形態３は、主に請求項３などについて説明する。
【００１１】
実施形態４は、主に請求項４などについて説明する。
【００１２】
実施形態５は、主に請求項５などについて説明する。
【００１３】
実施形態６は、主に請求項６などについて説明する。
【００１４】
実施形態７は、主に請求項７などについて説明する。
＜＜実施形態１＞＞
【００１５】
＜実施形態１：概要＞
【００１６】
実施形態１について説明する。
【００１７】
図１は、本実施形態の概念の一例を示すものである。本実施形態の生活指導装置は、スポーツクラブや、ドラッグストアなどの一角に設けられたカウンターに設置される場合が想定される。カウンター内には、利用者に渡されるサプリメントや、付随して行われることのある生活指導について教育を受けた専門のスタッフが待機している場合がある。
【００１８】
利用者は、自分で、あるいは、専門スタッフの指示で利用者の身長、体重などの情報や尿検査などの結果（生体情報）を提出し、食事・運動・睡眠などの状況（生活情報）のアンケートを入力する。これを受けて、生活指導装置は、利用者に不足する栄養素が補給できるサプリメントを選択し、供給する。利用者は、このサプリメントを購入し、継続的に服用することで、健康維持、改善に努めることができる。
【００１９】
＜実施形態１：構成＞
【００２０】
本実施形態は、サプリメントを供給する生活指導装置である。本実施形態での機能ブロックの一例を図２に示した。
【００２１】
図２に示す本実施形態の「生活指導装置」（０２００）は、「生体情報取得部」（０２０１）と、「生活情報取得部」（０２０２）と、「サプリメント出力部」（０２０３）からなる。
【００２２】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２３】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００２４】
「生体情報取得部」（０２０１）は、生体情報を取得する。「生体情報」は、利用者の生体に関する情報である。例えば、利用者の性別、身長、体重、血圧、既往症など利用者の申告により取得できる情報のほか、各種の検査結果によって得られる種々のデータが含まれるとしてもよい。
【００２５】
「生活情報取得部」（０２０２）は、利用者に対するアンケート結果から生活情報を取得する。「生活情報」は、利用者の日常生活に関するデータである。例えば、食事の嗜好や、睡眠時間、運動量、ストレス状態に関するデータが該当する。これは、利用者の記入するアンケートや、専門スタッフによる面談によって取得する場合が想定される。
【００２６】
「サプリメント出力部」（０２０３）は、前記生体情報取得部（０２０１）で取得した生体情報と、前記生活情報取得部（０２０２）で取得した生活情報とから、利用者に適したサプリメントに関する情報を出力する。サプリメントに関する情報の出力は、市販のサプリメントの組合せを指定することで行ってもよいし、実際に一定期間分のサプリメントを供給してもよい。
【００２７】
実施形態１の具体例については、後述する実施形態３から７で述べる。
【００２８】
＜実施形態１：処理の流れ＞
【００２９】
図３は、実施形態１での処理の流れの一例を示したものである。本実施形態における生活指導方法は、以下に示すステップよりなる。
【００３０】
まず、利用者の生体に関する情報である生体情報を取得する（生体情報取得ステップ　Ｓ０３０１）。
【００３１】
利用者に対するアンケート結果から日常生活に関するデータである生活情報を取得する（生活情報取得ステップ　Ｓ０３０２）。
【００３２】
前記生体情報取得ステップにて取得した生体情報と、前記生活情報取得ステップにて取得した生活情報とから、利用者に適したサプリメントに関する情報を出力する（サプリメント出力ステップ　Ｓ０３０３）。
【００３３】
以上の処理は、計算機に実行させるためのプログラムで実行することができ、また、このプログラムを計算機によって読み取り可能な記録媒体に記録することができる。（本明細書の全体を通して同様である。）
【００３４】
＜実施形態１：効果＞
【００３５】
本実施形態は、利用者各人に最適のサプリメントに関する情報を出力する。これまで、自己判断でサプリメントを服用していた利用者は、栄養素の摂取不足・過多となる事態が頻繁に生じていたことが予想される。また、複数種類のサプリメントを摂取する場合、その飲み合わせの影響を利用者が把握するのは困難であった。しかし、本実施形態の生活指導装置は、自己の生活全般に加えて、各種検査結果をも加味されるため、最適のサプリメントの選択が行われる。つまり、最小限の服用によって、最大限の効果が現れるようなサプリメントの供給が期待でき、さらに飲み合わせによる悪影響の心配もなくなる。
【００３６】
さらに、この生活指導装置をスポーツクラブや、ドラッグストアなどに設置することで、誰もが気軽にサプリメントの購入ができる。
＜＜実施形態２＞＞
【００３７】
＜実施形態２：概要＞
【００３８】
実施形態２について説明する。本実施形態は、生活指導データの出力を行うことに特徴を有する生活指導装置である。
【００３９】
＜実施形態２：構成＞
【００４０】
本実施形態での機能ブロックの一例を図４に示した。
【００４１】
図４に示す本実施形態の「生活指導装置」（０４００）は、「生体情報取得部」（０４０１）と、「生活情報取得部」（０４０２）と、「サプリメント出力部」（０４０３）と、さらに、「生活指導データ出力部」（０４０４）からなる。
【００４２】
「生活指導データ出力部」（０４０４）は、前記生体情報取得部（０４０１）で取得した生体情報と、前記生活情報取得部（０４０２）で取得した生活情報とから、利用者の健康を維持、改善するための生活指導データを出力する。「生活指導データ」とは、生活指導のデータである。例えば、推奨する運動メニューや、食事の献立などが該当する。また、取得した生体情報がそのまま生活指導に役立つ場合には、生活指導データとなる場合もある。生活指導データの出力は、文書をプリントアウトすることによって出力するとしてもよいし、これに加えて専門スタッフがアドバイスを行うとしてもよい。
【００４３】
その他の各部の処理は、実施形態１と同様である。
【００４４】
＜実施形態２：具体例＞
【００４５】
図５は、生活指導データの具体例を示したものである。（ａ）は利用者の体脂肪率やＢＭＩ（体格指数）を用いて、体格判定のパターンを示したものである。利用者の体脂肪率やＢＭＩ（体格指数）は、入力した身長、体重のデータから算出される。これらの判定結果より、体重の減量を勧めたり、体格の割に体脂肪率が高いいわゆるかくれ肥満に対して警告を発したりできる。
【００４６】
（ｂ）は、利用者の食生活における営養バランスを示したものである。これを見ると不足する栄養素が分かるので、補充するためのサプリメントに加えて、食事の内容を改善して食品で補充するためのアドバイスを行うことができる。
【００４７】
＜実施形態２：効果＞
【００４８】
本実施形態は、利用者各人に生活指導データを出力する。生活指導データを見ることで利用者は、自己の生活習慣を客観的に見直すことができ、サプリメントと相乗的な効果をあげることが期待できる。
＜＜実施形態３、４＞＞
【００４９】
＜実施形態３：概要＞
【００５０】
実施形態３について説明する。本実施形態は、生体情報が体内年齢に関する情報であることに特徴を有する生活指導装置である。
【００５１】
＜実施形態３：構成＞
【００５２】
本実施形態での機能ブロックの一例はすでに図２、４に示したとおりである。
【００５３】
図２に示す本実施形態の「生活指導装置」（０２００）は、「生体情報取得部」（０２０１）と、「生活情報取得部」（０２０２）と、「サプリメント出力部」（０２０３）からなる。
【００５４】
「生体情報取得部」（０２０１）は、前記生体情報として、尿検査によって得られる体内年齢情報を取得する。「体内年齢情報」とは、体内年齢に関する情報である。体内年齢は、体の内部器官の老化度を示すものであり、実年齢と差異が生じる場合もありうる。内部器官の老化度は、尿検査等の結果によって判定される。例えば、体内年齢と実年齢とを比較して、その差異の度合いに応じてランク分けすることができる。体内年齢が実年齢と同じかそれより低く判定された場合には、問題がないといえる。一方、高く判断された場合には、ランクに応じて、生活改善のための注意勧告や、警告を発する。
【００５５】
＜実施形態４：概要＞
【００５６】
実施形態４について説明する。本実施形態は、体内年齢情報が酸化グアニンの定量分析の結果に基づいて判定されることに特徴を有する生活指導装置である。
【００５７】
＜実施形態４：構成＞
【００５８】
本実施形態での機能ブロックの一例はすでに図２、４に示したとおりである。
【００５９】
図２に示す本実施形態の「生活指導装置」（０２００）は、「生体情報取得部」（０２０１）と、「生活情報取得部」（０２０２）と、「サプリメント出力部」（０２０３）からなる。
【００６０】
「生体情報取得部」（０２０１）は、前記生体情報として、酸化グアニンの定量分析の結果に基づいて判定する体内年齢情報を取得する。「グアニン」とは、ＤＮＡが遺伝情報を表す分子の一種である。グアニンが活性酸素によって酸化されることによって、老化のスピードを早めたり、ガンや動脈硬化などの生活習慣病（成人病）などを引き起こしたりする。この活性酸素を消去する物質として、酵素や、ミネラル、抗酸化成分が体内に備わっているが、この物質は日頃の生活習慣のバランスを崩すと、活性酸素により、酸化ストレスという物質を生じる。８−ＯＨｄＧは、細胞中の遺伝子の構成成分がこの酸化ストレスに曝されると尿中に排出される物質である。この８−ＯＨｄＧの濃度を測定することで酸化ストレスの大きさを把握でき、生活習慣の評価ができる。
【００６１】
＜実施形態４：具体例＞
【００６２】
図６は、生体情報である体内年齢の検査結果の具体例を示したものである。利用者は、事前に尿検査を行い、その結果を得ている。ここでは、酸化グアニンの定量分析を行うために、８−ＯＨｄＧの尿中濃度を測定し、利用者の実年齢との比較を行う。ここでは、一例として、実測値が１６．９６と得られたが、利用者の実年齢である３１歳の平均値は１１．４であり、その開きは５．５６ある。また、実測値／平均値で得られる体内年齢老化度も１４８．７％と、高い値が得られた。これにより、利用者の実年齢は３１歳であるが、体内年齢は３７歳と判定されている。これは体内年齢情報（生体情報）として生活指導装置に取得される。そして、これと生活情報とから、抗酸化作用を有するサプリメントに関する情報を出力する。また、この結果に基づいて、実生活指導データとして、体内の酸化が進んでおり、このまま慢性化しないように生活改善をすることを促し、その方法をアドバイスすることができる。
【００６３】
＜実施形態３、４：効果＞
【００６４】
生体情報として体内年齢情報を用いることで、体内器官の老化度に応じて、より効果的なサプリメントを選択、出力することができる。また、利用者に体内年齢情報を生活指導データとして出力することで、実年齢との比較によってより客観的に体内器官の老化を認識させることができる。これにより、利用者の意識を高め、サプリメントの継続的な服用や、生活指導の遵守を行わせることができるため、より高い効果が期待できる。
＜＜実施形態５＞＞
【００６５】
＜実施形態５：概要＞
【００６６】
実施形態５について説明する。本実施形態は、生体情報が肥満遺伝子に関する情報であることに特徴を有する生活指導装置である。
【００６７】
＜実施形態５：構成＞
【００６８】
本実施形態での機能ブロックの一例はすでに図２、４に示したとおりである。
【００６９】
図２に示す本実施形態の「生活指導装置」（０２００）は、「生体情報取得部」（０２０１）と、「生活情報取得部」（０２０２）と、「サプリメント出力部」（０２０３）からなる。
【００７０】
「生体情報取得部」（０２０１）は、前記生体情報として、ＤＮＡ検査によって得られる肥満遺伝子情報を取得する。「肥満遺伝子情報」とは、肥満遺伝子に関する情報である。肥満遺伝子（β３アドレナリン受容体遺伝子）は、脂肪細胞での脂質分解を促す働きをし、太ることに関係する遺伝子である。肥満遺伝子体質検査の処置を施した遺伝子を、ゲル内にて電流を流し、紫外線により反応する箇所の違いを見て、遺伝子多型がみられるかどうかの判断を行う。多型がみられない場合には正常に脂肪分解が行えるが、多型がみられる場合には脂肪分解の働きが弱いことが多い。
【００７１】
＜実施形態５：具体例＞
【００７２】
図７は、生体情報である肥満遺伝子体質検査の結果の具体例を示したものである。利用者は、事前にＤＮＡ検査を行い、その結果を得ている。ここでは、肥満遺伝子情報として、肥満遺伝子（β３アドレナリン受容体遺伝子）に多型がみられるという結果が記されている。つまり、利用者は体質的に太りやすい要因を持っているといえる。これは肥満遺伝子情報（生体情報）として生活指導装置に取得される。そして、これと生活情報とから、利用者に適したサプリメントや、食事での摂取カロリーを低めに、必要な運動量を多めに設定した生活指導データを出力することができる。
【００７３】
＜実施形態５：効果＞
【００７４】
生体情報として肥満遺伝子情報を用いることで、利用者の体質を認識し、最適なサプリメントと、生活指導データを出力することができる。肥満遺伝子に多型がみられたからといって必ず太るというわけではないが、自己の体質特性を知ることで、今までよりも効果的なダイエットや、健康維持に役立てることが可能となる。
＜＜実施形態６＞＞
【００７５】
＜実施形態６：概要＞
【００７６】
実施形態６について説明する。本実施形態は、生体情報がタバコ依存度に関する情報であることに特徴を有する生活指導装置である。
【００７７】
＜実施形態６：構成＞
【００７８】
本実施形態での機能ブロックの一例はすでに図２、４に示したとおりである。
【００７９】
図２に示す本実施形態の「生活指導装置」（０２００）は、「生体情報取得部」（０２０１）と、「生活情報取得部」（０２０２）と、「サプリメント出力部」（０２０３）からなる。
【００８０】
「生体情報取得部」（０２０１）は、前記生体情報として、尿検査によって得られるコチニンの尿中濃度に基づいて判定するタバコ依存度情報を取得する。「タバコ依存度情報」とは、タバコ依存度に関する情報である。タバコ依存度は、喫煙等により体内に吸収されたニコチンの主代謝物であるコチニンの尿中濃度を測定し、判断する。そのコチニンの尿中濃度に応じてランク分けすることができる。コチニンの尿中濃度が低い場合には、問題がないといえる。一方、コチニンの尿中濃度が高い場合には、ランクに応じて、適したサプリメントと、生活改善のための注意勧告や、警告を発する。
【００８１】
＜実施形態６：具体例＞
【００８２】
図８は、生体情報であるタバコ依存度検査の結果の具体例を示したものである。利用者は、事前に尿検査を行い、その結果を得ている。ここでは、タバコ依存度はかなり高く、かなりのニコチンが残留しているという結果が記されている。これは、肺ガンや、動脈硬化になる可能性が高いといえる。これはタバコ依存度情報（生体情報）として生活指導装置に取得される。そして、これと生活情報とから、適したサプリメントや、早急に本数を減らし、病気のリスクを減らすことを喚起する内容の生活指導データを出力する。また、禁煙のためのプログラムについても、合わせて生活指導データでアドバイスすることもある。
【００８３】
＜実施形態６：効果＞
【００８４】
生体情報としてタバコ依存度情報を用いることで、その段階に即した対処を行い、禁煙、節煙へと繋げることができる。さらに、生活指導装置で喫煙者の家族が利用することで、その影響を正しく理解できるため、喫煙する利用者が禁煙へのきっかけとすることもできる。
＜＜実施形態７＞＞
【００８５】
＜実施形態７：概要＞
【００８６】
実施形態７について説明する。本実施形態は、生体情報がアルコール体質特性に関する情報であることに特徴を有する生活指導装置である。
【００８７】
＜実施形態７：構成＞
【００８８】
本実施形態での機能ブロックの一例はすでに図２、４に示したとおりである。
【００８９】
図２に示す本実施形態の「生活指導装置」（０２００）は、「生体情報取得部」（０２０１）と、「生活情報取得部」（０２０２）と、「サプリメント出力部」（０２０３）からなる。
【００９０】
「生体情報取得部」（０２０１）は、前記生体情報として、尿検査によって得られるアルコール解毒酵素に基づいて判定するアルコール体質情報を取得する。「アルコール体質情報」は、アルコールに対する体質特性に関する情報である。アルコールは肝臓のアセトアルデヒド脱水素酵素により分解され、無害な物質に変わる。アルコール体質検査のための処置を施した遺伝子を、ゲル内にて電流を流し、紫外線により反応する箇所の違いを見て、遺伝子のタイプの判断を行う。タイプ１／１の場合にはアルデヒドの分解が早くお酒に強いタイプであり、タイプ１／２の場合には中間で、タイプ２／２の場合にはアルデヒドの分解ができないお酒に弱いタイプである。
【００９１】
＜実施形態７：具体例＞
【００９２】
図９は、生体情報であるアルコール体質検査の結果の具体例を示したものである。利用者は、事前にＤＮＡ検査を行い、その結果を得ている。ここでは、アルコール体質情報として、アセトアルデヒド脱水素酵素遺伝子のタイプが１／１であるという結果が記されている。つまり、利用者は体質的にアルデヒドの分解が早く、お酒に強いといえる。しかし、このような利用者は、逆にアルコール依存症になりやすい傾向がある。また、アルコール度数の強いお酒を大量に飲むと、食道ガンや、咽頭ガンになく確率が高い。これはアルコール体質情報（生体情報）として生活指導装置に取得される。そして、これと生活情報とから、生活指導データとして、飲酒の適量を定め、適したサプリメントに関する情報を出力することができる。
【００９３】
＜実施形態７：効果＞
【００９４】
生体情報としてアルコール体質情報を用いることで、利用者の体質を認識し、最適なサプリメントと、生活指導データを出力することができる。アルコール体質遺伝子のタイプを認識することで、適量を守り、百薬の長としてや、健康維持に役立てることが可能となる。
【発明の効果】
本実施形態は、利用者各人に最適のサプリメントに関する情報を出力する。これまで、自己判断でサプリメントを服用していた利用者は、栄養素の摂取不足・過多となる事態が頻繁に生じていたことが予想される。また、複数種類のサプリメントを摂取する場合、その飲み合わせの影響を利用者が把握するのは困難であった。しかし、本実施形態の生活指導装置は、自己の生活全般に加えて、各種検査結果をも加味されるため、最適のサプリメントの選択が行われる。つまり、最小限の服用によって、最大限の効果が現れるようなサプリメントの供給が期待でき、さらに飲み合わせによる悪影響の心配もなくなる。
【００９５】
さらに、この生活指導装置をスポーツクラブや、ドラッグストアなどに設置することで、誰もが気軽にサプリメントの購入ができる。
【００９６】
加えて、利用者各人に生活指導データを出力することもできる。生活指導データを見ることで利用者は、自己の生活習慣を客観的に見直すことができ、サプリメントと相乗的な効果をあげることが期待できる。
【図面の簡単な説明】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２での生活指導データの具体例を示した図
【図６】実施形態４での体内年齢の検査結果の具体例を示した図
【図７】実施形態５での肥満遺伝子体質検査の結果の具体例を示した図
【図８】実施形態６でのタバコ依存度検査の結果の具体例を示した図
【図９】実施形態７でのアルコール体質検査の結果の具体例を示した図
【符号の説明】
０２００　　　生活指導装置
０２０１　　　生体情報取得部
０２０２　　　生活情報取得部
０２０３　　　サプリメント出力部
【図１】
2004110406.tif 000003
【図２】
2004110406.tif 000004
【図３】
2004110406.tif 000005
【図４】
2004110406.tif 000006
【図５】
2004110406.tif 000007
【図６】
2004110406.tif 000008
【図７】
2004110406.tif 000009
【図８】
2004110406.tif 000010
【図９】
2004110406.tif 000011